(57)【要約】【課題】小さな子供であっても正確な書き順で文字を書くことができる書き順練習用テンプレートおよび書き順練習用キットを提供することを目的とする。【解決手段】書き順練習用テンプレート１は、複数のプレート部１２〜１４を有し、複数画の文字「や」が１または２以上の画からなる複数の文字部分に分けられ、各文字部分を象った複数の文字溝１２ａ，１３ａ，１４ａが複数のプレート部１２〜１４に貫通するように別々に形成され、複数のプレート部１２〜１４が、複数画の文字「や」の書き順で配列されている。【選択図】図１
2011095640.tif 000002
【特許請求の範囲】
【請求項１】
複数画からなる文字の書き順を練習するための書き順練習用テンプレートであって、
複数のプレート部を有し、
前記複数画の文字が１または２以上の画からなる複数の文字部分に分けられ、各文字部分を象った複数の文字溝が前記複数のプレート部に貫通するように別々に形成され、
前記複数のプレート部が、前記複数画の文字の書き順で配列されていることを特徴とする書き順練習用テンプレート。
【請求項２】
１つのプレート部は、１画分の文字部分を象った文字溝が形成されていることを特徴とする請求項１に記載の書き順練習用テンプレート。
【請求項３】
前記複数のプレート部が、連続した１枚の板状に繋がって形成されていることを特徴とする請求項１または請求項２に記載の書き順練習用テンプレート。
【請求項４】
透明であることを特徴とする請求項１から請求項３のいずれか一項に記載の書き順練習用テンプレート。
【請求項５】
前記複数のプレート部に対応して複数の係合部が設けられていることを特徴とする請求項１から請求項４のいずれか一項に記載の書き順練習用テンプレート。
【請求項６】
請求項５に記載の書き順練習用テンプレートと、
前記係合部に係合することで前記プレート部の位置決めを行う位置決め部を有するテンプレート支持具と、を備えることを特徴とする書き順練習用キット。
【請求項７】
前記書き順練習用テンプレートは、前記複数の係合部を有する開口部が形成されるとともに、前記複数のプレート部が、前記開口部の周囲で円周方向に配列され、
前記テンプレート支持具は、前記開口部に嵌って前記書き順練習用テンプレートを円周方向に回転支持するように構成されていることを特徴とする請求項６に記載の書き順練習用キット。
【請求項８】
用紙の下に敷く下敷きをさらに備え、
前記下敷きおよび前記テンプレート支持具の一方には磁石が設けられ、他方には前記磁石と磁力により吸着する磁性体が設けられていることを特徴とする請求項６または請求項７に記載の書き順練習用キット。
【請求項９】
前記テンプレート支持具の位置決め部は、弾性変形可能に構成されていることを特徴とする請求項６から請求項８のいずれか一項に記載の書き順練習用キット。
【請求項１０】
前記位置決め部は、文字の書き順とは逆方向への前記書き順練習用テンプレートの移動を規制する規制部を有することを特徴とする請求項９に記載の書き順練習用キット。
【発明の詳細な説明】
【技術分野】
【０００１】
本発明は、文字の書き順を練習するための書き順練習用テンプレートおよび書き順練習用キットに関する。
【背景技術】
【０００２】
従来、文字の書き順を練習するための書き順練習用テンプレートとして、一つの文字を象るように形成された溝を有するプレートを有し、このプレート上に数字などで書き順が記されたものが知られている（特許文献１参照）。
【先行技術文献】
【特許文献】
【０００３】
【特許文献１】登録実用新案３０２０６７０号公報
【発明の概要】
【発明が解決しようとする課題】
【０００４】
しかしながら、３歳児などの読み書きを覚え始める年齢の子供には、数字を理解していない子もいるため、上記のようなテンプレートでは、正確な書き順で書けない問題があった。
【０００５】
そこで、本発明は、小さな子供であっても正確な書き順で文字を書くことができる書き順練習用テンプレートおよび書き順練習用キットを提供することを目的とする。
【課題を解決するための手段】
【０００６】
前記課題を解決する本発明に係る書き順練習用テンプレートは、複数画からなる文字の書き順を練習するための書き順練習用テンプレートであって、複数のプレート部を有し、前記複数画の文字が１または２以上の画からなる複数の文字部分に分けられ、各文字部分を象った複数の文字溝が前記複数のプレート部に貫通するように別々に形成され、前記複数のプレート部が、前記複数の文字部分を組み合わせて構成される文字の書き順で配列されていることを特徴とする。
【０００７】
本発明によれば、各文字部分を象った別々の文字溝を有する各プレート部が文字の書き順で配列されているので、用紙のうち文字を書こうとしている箇所に順次プレート部を配列順に配置するととともに、各プレート部の文字溝を順次筆記用具でなぞれば、小さな子供であっても正確な書き順で文字を書くことができる。
【０００８】
また、本発明では、１つのプレート部は、１画分の文字部分を象った文字溝が形成されているのが望ましい。
【０００９】
このような書き順練習用テンプレートを用いて文字を書くと、一度に１画ずつプレート部の文字溝をなぞった後、書き順練習用テンプレートをずらして、次の１画をなぞる動作を繰り返して文字を書くため、小さな子供であっても正確な文字の書き順と一画で書くべき文字部分を整理して覚えることができる。
【００１０】
また、本発明では、前記複数のプレート部が、連続した１枚の板状に繋がって形成されているのが望ましい。
【００１１】
これによれば、１枚の板状のテンプレートを紙面に沿ってスライドさせるだけで、各文字溝を順次重ね合わせていくことができるので、器具の扱いに慣れない小さな子供でも容易に操作できる。
【００１２】
また、本発明では、書き順練習用テンプレートが透明であるのが望ましい。
【００１３】
これによれば、前回書いた文字部分を透明なテンプレートを通して見ることができるので、次の文字部分をなぞる際、既に書いた文字部分とのバランスを見ながらなぞることが可能となる。
【００１４】
また、本発明では、前記複数のプレート部に対応して複数の係合部を設けるのが望ましい。
【００１５】
これによれば、用紙上に例えば積み木などの重しになるような物を置き、この物に順次係合部を係合させながら、各プレート部をずらしていけば、複数の文字溝を正確に重ね合わせることができ、きれいな字を書くことができる。
【００１６】
また、本発明に係る書き順練習用キットは、前述した係合部を有する書き順練習用テンプレートと、前記係合部に係合することで前記プレート部の位置決めを行う位置決め部を有するテンプレート支持具と、を備えることを特徴とする。
【００１７】
これによれば、テンプレート支持具の位置決め部に順次係合部を係合させながら、各プレート部をずらしていけば、複数の文字溝を正確に重ね合わせることができ、きれいな字を書くことができる。
【００１８】
また、本発明に係る書き順練習用キットでは、前記書き順練習用テンプレートは、前記複数の係合部を有する開口部が形成されるとともに、前記複数のプレート部が、前記開口部の周囲で円周方向に配列され、前記テンプレート支持具は、前記開口部に嵌って前記書き順練習用テンプレートを円周方向に回転支持するように構成されていることが望ましい。
【００１９】
これによれば、複数のプレート部を円周方向にコンパクトに配列することができるので、複数の文字を１枚の書き順練習用テンプレートに収めることが可能となる。
さらに、テンプレート支持具を回転中心として、書き順練習用テンプレートを円周方向に回転させて各プレート部をずらしていくので、書き順練習用テンプレートを滑らかに移動させることができる。
【００２０】
また、本発明に係る書き順練習用キットは、用紙の下に敷く下敷きをさらに備え、前記下敷きおよび前記テンプレート支持具の一方には磁石が設けられ、他方には前記磁石と磁力により吸着する磁性体が設けられていることが望ましい。
【００２１】
これによれば、テンプレート支持具が下敷きに磁力により吸着するので、テンプレート支持具を手で強く押さえる必要がなくなり、器具の扱いに慣れない小さな子供でも容易に操作できる。
【００２２】
また、本発明に係る書き順練習用キットでは、前記テンプレート支持具の位置決め部が、弾性変形可能に構成されているのが望ましい。
【００２３】
これによれば、位置決め部が弾性変形可能に構成されるので、書き順練習用テンプレートを一方向にスライドさせるだけで、係合部と位置決め部との係合・離脱を行うことができる。
【００２４】
また、本発明に係る書き順練習用キットでは、前記位置決め部が、文字の書き順とは逆方向への前記書き順練習用テンプレートの移動を規制する規制部を有するのが望ましい。
【００２５】
これによれば、文字の書き順と逆方向に書き順練習用テンプレートが移動することがなくなるので、小さな子供が反対の書き順で文字を書くことがなくなる。
【発明の効果】
【００２６】
本発明によれば、各文字部分を象った別々の文字溝を有する各プレート部が文字の書き順で配列されるので、小さな子供であっても正確な書き順で文字を書くことができる。
【図面の簡単な説明】
【００２７】
【図１】本実施形態に係る書き順練習用テンプレートを示す平面図である。
【図２】本実施形態に係るテンプレート支持具および下敷きを示す斜視図である。
【図３】用紙に１画目を書いた状態を示す平面図である。
【図４】用紙に書いた１画目に２画目の文字溝を合わせた状態を示す平面図（ａ）と、用紙に３画目を書いた状態を示す平面図（ｂ）と、書き順練習用テンプレートを用紙から外した状態を示す平面図（ｃ）である。
【図５】テンプレート支持具の変形例を示す斜視図（ａ）と、裏面図（ｂ）である。
【図６】図５のテンプレート支持具用の書き順練習用テンプレートを示す平面図である。
【図７】他の変形例に係るテンプレートおよびテンプレート支持具を示す平面図である。
【発明を実施するための形態】
【００２８】
次に、本発明の実施形態について、適宜図面を参照しながら詳細に説明する。
なお、以下の説明において、方向は、書き順練習用テンプレート１を使用する使用者を基準にした方向とする。すなわち、図１に示す上下左右方向を基準にして説明する。
【００２９】
図１に示すように、書き順練習用テンプレート１（以下、単に「テンプレート１」ともいう。）は、複数画からなる文字の書き順を練習するためのものであり、長尺状の矩形の板状に形成されている。具体的に、テンプレート１は、複数のプレート部１１，１２，１３，１４を有しており、これらのプレート部１１，１２，１３，１４は、左右方向に連続した１枚の板状に形成されている。
【００３０】
なお、以下の説明では、各プレート部１１，１２，１３，１４を、右から順に、第１プレート部１１、第２プレート部１２、第３プレート部１３、第４プレート部１４とも呼ぶこととする。また、テンプレート１の材料はどのようなものであってもよいが、本実施形態では、透明な樹脂などの材料で形成されているものとする。
【００３１】
第１プレート部１１は、テンプレート１の右端部に配置されており、その表面には、複数画の文字の一例である平仮名の「や」から連想される用語「やかん」の絵や文字が記載されている。これにより、小さな子供などの使用者が、やかんの絵などを見ることで、テンプレート１になじみ易く、また、「や」の文字の使い方も同時に覚えることが可能となっている。
【００３２】
また、「やかん」の文字のうち「や」の文字は丸で囲まれている。これにより、使用者に対して、書き順の練習対象となる文字がどれであるのかを明確に理解させることが可能となっている。
【００３３】
書き順の練習対象となる複数画の文字「や」は、１画からなる複数の文字部分に分けられ、各文字部分を象った複数の文字溝１２ａ，１３ａ，１４ａが第２プレート部１２、第３プレート部１３および第４プレート部１４にそれぞれ貫通するように別々に形成されている。そして、第２プレート部１２、第３プレート部１３および第４プレート部１４は、前記複数画の文字「や」の書き順で、右から順に配列されている。
【００３４】
すなわち、文字「や」の１画目が、第２プレート部１２に文字溝１２ａとして形成され、２画目が第３プレート部１３に文字溝１３ａとして形成され、３画目が第４プレート部１４に文字溝１４ａとして形成されている。さらに、各プレート部１２〜１４の下端部には、書き順を示す番号が振られている。
また、各文字溝１２ａ，１３ａ，１４ａの周囲には、各文字溝１２ａ，１３ａ，１４ａをなぞる順序を示すための矢印が各文字溝１２ａ，１３ａ，１４ａに沿って適宜記されている。なお、矢印は、少なくとも各文字溝１２ａ，１３ａ，１４ａのうち書き始めとなる端部付近に１つ設ければよい。
【００３５】
そして、各プレート部１１〜１４の下側の角部には、後述するテンプレート支持具２の突起部２１に係合可能な係合部の一例としての切欠部１ａ，１ｂ，１ｃ，１ｄ，１ｅが半円状または扇形状に形成されている。なお、以下の説明では、各切欠部１ａ，１ｂ，１ｃ，１ｄ，１ｅを、右から順に第１切欠部１ａ、第２切欠部１ｂ、第３切欠部１ｃ、第４切欠部１ｄおよび第５切欠部１ｅとも呼ぶこととする。
【００３６】
そして、上述したテンプレート１は、図２に示すテンプレート支持具２および下敷き３と共に、書き順練習用キットＫを構成している。
【００３７】
テンプレート支持具２は、テンプレート１よりも左右方向に長い長尺の板状に形成されており、その上面（使用時に用紙の上縁に向く面）には、テンプレート１の各切欠部１ａ〜１ｅに係合することで各プレート部１２〜１４の位置決めを行う位置決め部の一例としての突起部２１が半円状に形成されている。そして、テンプレート支持具２の裏面（用紙に対向する面）のうち左右両端と中央部には、３つの磁石２２が設けられている。
【００３８】
下敷き３は、磁石２２と磁力により吸着する磁性体の一例として鉄板で構成されている。これにより、下敷き３とテンプレート支持具２との間で用紙を強固に挟持できるとともに、テンプレート支持具２の位置が下敷き３や用紙に対してずれ難くなっている。
【００３９】
次に、書き順練習用キットＫの使い方について説明する。
図３に示すように、まず、下敷き３の上に用紙Ｐを置き、用紙Ｐの上からテンプレート支持具２を置く。このとき、テンプレート支持具２は用紙Ｐのうち文字「や」を書きたい箇所の下側に置く。用紙Ｐは下敷き３とテンプレート支持具２に挟まれた状態で、テンプレート支持具２が磁力により下敷き３に吸着するので、用紙Ｐに対するテンプレート支持具２の位置が固定される。
【００４０】
その後、テンプレート１の第２プレート部１２の右下の第２切欠部１ｂをテンプレート支持具２の突起部２１に係合させ、第２プレート部１２の文字溝１２ａを矢印に沿って鉛筆等の筆記用具でなぞる。次に、図４（ａ）に示すように、テンプレート１を上にスライドさせて突起部２１から第２切欠部１ｂを外した後、所定量（第２プレート部１２の幅分）右にずらし、今度は第３プレート部１３の右下の第３切欠部１ｃをテンプレート支持具２の突起部２１に係合させる。
【００４１】
この際、前回書いた１画目を透明なテンプレート１を通して見ることができるので、使用者は、第３プレート部１３の文字溝１３ａをなぞることで、１画目の右上に２画目を書くことができ、既に書いた文字部分とのバランスを見ながら、実際の文字を書くときと同じ状況で文字をなぞることが可能となっている。
【００４２】
２画目を書いた後は、図４（ｂ）に示すように、前述と同様にしてテンプレート１を所定量（第３プレート部１３の幅分）右にずらし、第４プレート部１４の右下の第４切欠部１ｄをテンプレート支持具２の突起部２１に係合させる。そして、第４プレート部１４の文字溝１４ａをなぞることで、図４（ｃ）に示すように、「や」の文字を正確な書き順で書き上げることができる。
【００４３】
以上によれば、本実施形態において以下のような効果を得ることができる。
各文字部分を象った別々の文字溝１２ａ〜１４ａを有する各プレート部１２〜１４が文字「や」の書き順で配列されているので、用紙Ｐのうち文字を書こうとしている箇所に順次プレート部１２〜１４を配列順に配置するととともに、各プレート部１２〜１４の文字溝１２ａ〜１４ａを順次筆記用具でなぞれば、小さな子供であっても正確な書き順で文字を書くことができる。
【００４４】
各プレート部１１〜１４を連続した１枚の板状に繋げることにより、板状のテンプレート１を紙面に沿ってスライドさせるだけで、各文字溝１２ａ〜１４ａを順次重ね合わせていくことができるので、器具の扱いに慣れない小さな子供でも容易に操作できる。
【００４５】
テンプレート支持具２の突起部２１に順次切欠部１ｂ〜１ｄを係合させながら、各プレート部１２〜１４をずらしていけば、複数の文字溝１２ａ〜１４ａを正確に重ね合わせることができるので、小さな子供であっても、きれいな字を書くことができる。
【００４６】
テンプレート支持具２を磁力で下敷き３に吸着させたので、テンプレート支持具２を手で強く押さえる必要がなくなり、器具の扱いに慣れない小さな子供でも容易に操作することができる。
【００４７】
文字「や」を１画ずつに分けて各プレート部１２〜１４に溝として形成したので、溝が交差することによって字が書きづらくなるといった問題がなくなり、きれいな字を書くことができる。すなわち、例えば文字「や」では、１画目と３画目とが交差するので、従来からある「や」の形状を象った溝を有するテンプレートでは、１画目を書く際に３画目にペン先が入ってしまう問題があるが、本発明によれば、複数の画をばらすため、このような問題を解消することができる。なお、文字「ぬ」などでは、２画目自体で溝が交差する問題が出てくるが、この場合であっても、１画目と２画目をばらすことで、溝が交差する部分を少なくすることができるので、従来のような全画が象られたテンプレートよりも十分きれいな文字を書くことができる。
【００４８】
テンプレート１を使って文字を書く際には、１画分のプレート部の文字溝をなぞった後、テンプレート１をずらして、次の１画分の文字溝をなぞる動作を繰り返すことになるので、小さな子供でも、正確な文字の書き順と一画で書くべき文字部分を整理して覚えることができる。また、間違った書き順で文字を書くクセがついてしまった場合でも、矯正することができる。
また、例えば、カタカナのテンプレートを用いることで、「シ」と「ツ」のように、一見すると同じようであるが書き順が異なる文字であっても、子供が混乱することなく整理して文字の書き順を覚えることができる。
【００４９】
テンプレート１が透明な材料で形成されることにより、使用者は、既に書いた画に重ねて次の画を書くことができるので、テンプレート１無しで実際に文字を書いているのと同じような感覚で文字を書くことができる。
【００５０】
なお、本発明は前記実施形態に限定されることなく、以下に例示するように様々な形態で利用できる。
【００５１】
前記実施形態では、テンプレート支持具２をテンプレート１よりも左右方向に長い長尺の板状に形成したが、本発明はこれに限定されず、例えば図５（ａ）に示すように、テンプレート支持具４をテンプレートの１つのプレート部の大きさに対応した大きさに形成してもよい。
【００５２】
具体的に、このテンプレート支持具４は、樹脂製であり、図６に示すテンプレート１’の１つのプレート部（例えば第１プレート部１１）よりも一回り大きな大きさの矩形の枠状に形成されており、その中央部には、各プレート部１１〜１４の図柄、文字などを外部に臨ませるための略矩形の窓部４ａが形成されている。ここで、図６に示すテンプレート１’は、前記実施形態に係るテンプレート１に比べ、各切欠部１ａ’，１ｂ’，１ｃ’，１ｄ’の位置を各プレート部１１〜１４の上縁部中央に変更しただけであるため、他の構成要素は同一符号を付し、その説明は省略する。
【００５３】
そして、窓部４ａは、一般的な原稿用紙の１つの升目を拡大したような比率で形成されている。これにより、使用者は、原稿用紙の升目の中にどのような配置で文字を書いていけば（升目の中で白い部分をどのような配置で残せば）きれいな文字が書けるのかを、自然に体得することが可能となっている。
【００５４】
枠状であるテンプレート支持具４のうち左右に配置されて上下に延びる縦柱部４１は、上下に配置されて左右に延びる横柱部４２に比べて、裏面（用紙側の面）が表側に向けて一段凹むように形成されている。そして、このように形成される凹部４１ａには、図６に示すテンプレート１’が左右にスライド可能に係合するようになっている。
【００５５】
各横柱部４２の裏面には、図５（ｂ）に示すように、左右に延びる矩形の磁石４３が設けられている。そして、上方の横柱部４２の下部には、上下に弾性変形可能な位置決め部４２ａが横柱部４２と一体に形成されている。具体的に、位置決め部４２ａは、横柱部４２の下部に所定形状の貫通孔４２ｂを形成することにより、凸状部４２ｃを有する薄い板バネ状に形成されており、その凸状部４２ｃが図６に示すテンプレート１’の各切欠部１ａ’〜１ｄ’に係合するようになっている。
【００５６】
以上、図５に示すテンプレート支持具４によれば、位置決め部４２ａが上下に弾性変形可能に構成されているので、テンプレート１’を右方向にスライドさせるだけで、位置決め部４２ａと各切欠部１ａ’〜１ｄ’との係合・離脱を行うことができ、より容易に文字を正確な書き順で書くことができる。
【００５７】
他の変形例として、図７に示すように、円板形状のテンプレート５１を用いることもできる。このテンプレート５１は、類似の文字である「は」と「ほ」を１枚に収めている。そして、各文字を構成する文字部分を象った文字溝が、円周方向に等間隔で配列されたプレート部６２〜６４、７２〜７４に設けられている。なお、文字「は」と「ほ」の違いを明確にするため、「ほ」の２画目と３画目に対応する文字溝を１つのプレート部７３に設けている。
【００５８】
テンプレート５１の中心部には開口部５２が設けられており、各プレート部６１〜６４、７１〜７４に対応する複数の切欠部５３が開口部５２と連続してテンプレート５１の内周側に設けられている。
【００５９】
このテンプレート５１を所定のピッチで一定方向に回転させるため、テンプレート５１の開口部５２にはテンプレート支持具５４が嵌め込まれる。テンプレート支持具５４は樹脂製であり、テンプレート５１の各切欠部５３と係合し、テンプレート５１の時計回りの回転のみを許容する２つの突起部（位置決め部）５５を有する。各突起部５５は、円周方向の中心を基準として非対称な形状を有し、弾性変形可能な薄い板バネ状に形成されている。
具体的には、各突起部５５は、回転方向の前側でなだらかに傾斜した傾斜面を形成し、回転方向の後ろ側では、回転方向に略直交する面を形成している。すなわち、回転方向後ろ側の部分は、文字の書き順とは逆方向（反時計回り）へのテンプレート５１の回転（移動）を規制する規制部５５ａを形成している。
そして、テンプレート支持具５４の裏面には、２つの磁石５６が設けられている。
【００６０】
以上、図７に示すテンプレート５１によると、複数のプレート部６１〜６４、７１〜７４を円周方向に等間隔で配列したことにより、多数のプレート部をコンパクトに配置することが可能となる。そのため、２つの文字を１つのテンプレート５１に収めることができる。
また、テンプレート支持具５４は、テンプレート５１の中心部分のみを回転自在に保持すればよいので、コンパクト化を図ることができる。
さらに、テンプレート支持具５４の各突起部５５に設けた規制部５５ａが、文字の書き順とは逆方向へのテンプレート５１の回転を規制するので、小さな子供が反対の書き順で文字を書くことがなくなる。
【００６１】
以上に述べた実施形態では、各プレート部１１〜１４、６１〜６４、７１〜７４を１枚の板状に連続させて繋げたが、本発明はこれに限定されず、例えば、各プレート部をそれぞれ１枚の板状部材として構成し、これらを紐などで繋げてもよいし、各板状部材を１つのレールでスライド可能に保持させてもよい。
【００６２】
図１に示す実施形態では、やかんの図柄などが書かれた第１プレート部１１を設けたが、第１プレート部１１はなくてもよい。
【００６３】
図１に示す実施形態では、係合部としての切欠部１ａ〜１ｅを、各プレート部１１〜１４よりも多く形成したが、本発明はこれに限定されず、少なくとも文字溝が形成されたプレート部に対応した数だけ形成すればよい。すなわち、例えば図１における第１切欠部１ａや第５切欠部１ｅはなくてもよい。ただし、図１のように第１切欠部１ａや第５切欠部１ｅを設けることで、例えば第１切欠部１ａをテンプレート支持具２の突起部２１に係合させたときに、１画目を書き始める（第２プレート部１２の文字溝１２ａをなぞり始める）ことで、用紙に書く文字の位置を突起部２１付近ではなく、突起部２１付近の位置よりも左側にずらすことができる。
【００６４】
すなわち、突起部２１を基準にして用紙に書く文字の位置を左右にずらすことができるので、テンプレート支持具２の位置を変えることなく、文字「や」を左右に連続して書く練習ができるとともに、複数種類のテンプレート１（例えば、文字「か」用のテンプレート）を順次利用して文字を左右に並べることで用語（例えば「やかん」）を正確な書き順で書くこともできる。
【００６５】
図７に示す円板形状のテンプレート５１では、各プレート部６１〜６４、７１〜７４を円周方向に等間隔で配列したが、例えば、文字の画数に応じて等間隔ではない配列とすることもできる。
【００６６】
図１に示す実施形態では、係合部を切欠部１ａ，・・・（凹）とし、位置決め部を突起部２１（凸）としたが、本発明はこれに限定されず、これらの凹凸の関係を逆にしてもよいし、双方を凸（または凹）としてもよい。また、係合部や位置決め部の形状は、円弧状に限らず、どのような形状でもよい。
【００６７】
図１に示す実施形態では、テンプレート支持具２に磁石２２を設け、下敷き３を磁性体としたが、本発明はこれに限定されず、テンプレート支持具を磁性体とし、下敷きに磁石を設けてもよい。
前記実施形態では、複数画の文字として平仮名を採用したが、本発明はこれに限定されず、例えば、カタカナ、漢字、アルファベットなど、どのような文字を採用してもよい。
【００６８】
前記実施形態では、文字「や」および「は」を１画ずつにばらし、文字「ほ」の一部を２画にばらしたが、本発明はこれに限定されず、例えば文字「漢」などでは、さんずい（３画分）や草冠（３画分）を１つのプレート部にまとめて形成してもよい。この場合であっても、基本的な部首の書き順を知っているものであれば、書き順を正確に書くことができる。
【００６９】
前記実施形態では、右から左または時計回りの順に複数のプレート部１２〜１４、６１〜６４、７１〜７４を文字の書き順に並べたが、本発明はこれに限定されず、例えば左から右や反時計回りに並べてもよいし、上から下または下から上へ並べてもよい。また、テンプレートは矩形の板や円板に限らず、様々な形状にしてもよい。
【００７０】
前記実施形態では、テンプレート１、５１をテンプレート支持具２、４、５４に係合させながら使用する例を示したが、本発明はこれに限定されず、テンプレートのみであっても十分書き順の練習を行うことができる。すなわち、１画目を書いた後、２画目の溝を用紙に書いた１画目の文字部分に合わせることで２画目、３画目と書くことができる。なお、この場合、２画目の溝が形成された透明なプレート部の表面に１画目の文字部分（前回の文字部分）を記しておけば、実際に書いた１画目とプレート部に記した１画目の文字部分を重ねることで、２画目の溝を１画目に対して適正な位置に配置することができる。
【符号の説明】
【００７１】
１      書き順練習用テンプレート
１ａ〜１ｅ  切欠部
２      テンプレート支持具
１１    第１プレート部
１２    第２プレート部
１２ａ  文字溝
１３    第３プレート部
１３ａ  文字溝
１４    第４プレート部
１４ａ  文字溝
２１    突起部
２２    磁石
Ｋ      書き順練習用キット
【図１】
2011095640.tif 000003
【図２】
2011095640.tif 000004
【図３】
2011095640.tif 000005
【図４】
2011095640.tif 000006
【図５】
2011095640.tif 000007
【図６】
2011095640.tif 000008
【図７】
2011095640.tif 000009